(57)【要約】【課題】  読み取り方式ごとに不要な画像データの消去を最適に行うことができる画像形成装置を提供する。【解決手段】  シートスルー方式の原稿自動送り装置を使用した複写動作の場合は原稿端部を基準とした画像データの消去を行い、シートスルー方式の原稿自動送り装置を使用しない複写動作の場合はコンタクトガラス端部を基準とした画像データの消去を行うマスク処理手段２０２と、これを制御する制御手段１０４とを備えた。【選択図】        図２
2005311476.tif 000002
【特許請求の範囲】
【請求項１】
シートスルー方式の原稿自動送り装置を使用した複写動作の場合は原稿端部を基準とした画像データの消去を行い、シートスルー方式の原稿自動送り装置を使用しない複写動作の場合はコンタクトガラス端部を基準とした画像データの消去を行うマスク処理手段と、該マスク処理手段を制御する制御手段とを備えたことを特徴とする画像形成装置。
【請求項２】
前記原稿端部を基準とした消去範囲と、前記コンタクトガラス端部を基準とした消去範囲を設定する操作手段を備え、該操作手段は前記原稿端部を基準とした消去範囲と、前記コンタクトガラス端部を基準とした消去範囲をそれぞれ独立に設定可能としたことを特徴とする請求項１記載の画像形成装置。
【請求項３】
前記操作手段は、前記原稿端部を基準とした消去範囲およびコンタクトガラス端部を基準とした消去範囲の設定に際し、上端、下端、右端、及び左端の範囲をそれぞれ独立に設定可能としたことを特徴とする請求項２記載の画像形成装置。
【発明の詳細な説明】
【技術分野】
【０００１】
本発明は、ディジタル複写機、プリンタ装置、ファクシミリ装置、またはこれらの機能を兼ね備えたディジタル複合機などの画像形成装置に関し、特に原稿読み取り時に生じる不要な画像データの消去技術に関する。
【背景技術】
【０００２】
原稿を読み取った場合に原稿の端部における画像データは、不安定になりやすく不要な画像データが付加されてしまうという課題がある。不要な画像データが発生する原因は、原稿の読み取り方式により異なる。
シートスルー方式の原稿自動送り装置を用いて原稿を読み取る場合は、原稿そのものを動かしながら読み取るため、原稿端部の影が画像データに発生してしまう場合がある。
またコンタクトガラスに原稿を置き、圧板を原稿の上にのせて原稿を読み取る場合は、原稿を水平に置くための部材などの影が原稿端部の画像データに発生してしまう場合がある。このような不具合を解消するために、従来では、下記の特許文献記載の技術が提案されている。
【特許文献１】特開２００１−２９８６０５公報
【特許文献２】特開平０７−３３６５２２号公報
【特許文献３】特開平１０−２４３１６８号公報
【発明の開示】
【発明が解決しようとする課題】
【０００３】
しかし、従来技術では、原稿を読み取った場合に原稿の端部における不要な画像データの消去を行う際に、不要な画像データと必要な画像データの判別はできない。このため不要な画像データの消去を行う目的で消去を行っても必要な画像データまで消去してしまう可能性がある。また、不要な画像データが発生する原因は、原稿の読み取り方式により異なるため、原稿端部からの消去幅の設定において、最適な消去幅も読み取り方式により異なるという課題がある。
さらに、原稿を読み取った場合に原稿の端部における不要な画像データは、それが発生する原因が異なれば、発生する幅も異なる。原稿の上端、下端、右端、左端ではそれぞれ発生する原因が異なるため同じ幅の消去では、必要な画像データの消去を最小限に抑えながら不要な画像データを消去するという、最適な消去は行えないという課題がある。
本発明は、読み取り方式ごとに不要な画像データの消去を最適に行うことができる画像形成装置を提供することを目的とする。
【課題を解決するための手段】
【０００４】
上記目的を達成するために、請求項１記載の発明は、シートスルー方式の原稿自動送り装置を使用した複写動作の場合は原稿端部を基準とした画像データの消去を行い、シートスルー方式の原稿自動送り装置を使用しない複写動作の場合はコンタクトガラス端部を基準とした画像データの消去を行うマスク処理手段と、該マスク処理手段を制御する制御手段とを備えた画像形成装置を最も主要な特徴とする。
請求項２記載の発明は、前記原稿端部を基準とした消去範囲と、前記コンタクトガラス端部を基準とした消去範囲を設定する操作手段を備え、該操作手段は前記原稿端部を基準とした消去範囲と、前記コンタクトガラス端部を基準とした消去範囲をそれぞれ独立に設定可能としたことを特徴とする。
請求項３記載の発明は、前記操作手段は、前記原稿端部を基準とした消去範囲およびコンタクトガラス端部を基準とした消去範囲の設定に際し、上端、下端、右端、及び左端の範囲をそれぞれ独立に設定可能としたことを特徴とする。
【発明の効果】
【０００５】
本発明は、シートスルー方式の原稿自動送り装置を使用した複写動作の場合は、原稿端部を基準とした画像データの消去を行い、シートスルー方式の原稿自動送り装置を使用しない複写動作の場合は、コンタクトガラス端部を基準とした画像データの消去を行うため、読み取り方式ごとに不要な画像データの消去を最適に行うことができる。
また、原稿端部を基準とした消去幅と、コンタクトガラス端部を基準とした消去幅をそれぞれ独立に設定することが可能なので、読み取り方式ごとに不要な画像データの消去を最適に行うことができる。
また、消去幅の設定を上端、下端、右端、左端の４つで独立に設定することが可能なので、読み取り方式ごとに不要な画像データの消去を最適に行うことができる。
【発明を実施するための最良の形態】
【０００６】
以下、図面を参照して、本発明の実施形態を詳細に説明する。
図１は本発明の実施形態に係る画像形成装置の概略ブロック図である。画像入力部１０１は、ディジタル複写機、ディジタルファクシミリのスキャナに相当し、原稿を読み取り入力画像データとして画像処理部１０２に送る。画像処理部１０２は、入力された画像データに対してＭＴＦフィルタ処理、マスク処理、γ変換処理、階調処理などの各種画像処理を行い画像出力部１０３に送る。画像出力部１０３は、ディジタル複写機のプリンタに相当し、画像処理後の画像データを紙にプリント出力する。
制御部１０４は、装置の全体制御を行う。画像入力部１０１に対しては、スキャナの動作制御を行い、画像処理部１０２に対しては、ＭＴＦフィルタ処理、マスク処理、γ補正処理、階調処理などの各種画像処理に用いるパラメータの設定を行い、画像出力部１０３に対しては、プリンタの動作制御を行い、操作部１０５に対しては各種情報の表示制御や動作モードの入力制御を行う。操作部１０５は、使用者が設定する動作モードやコピースタートの指示の入力に用いられる。
図２は本発明の実施形態に係る画像形成装置の詳細ブロック図である。画像処理部１０２は、画像入力部１０１でスキャンされた画像データに対してフィルタ処理を行うＭＴＦフィルタ処理部２０１、指定された領域を消去するマスク処理部２０２、出力画像データの濃度調整を行うγ補正処理部２０３、階調処理部２０４を備える。
制御部１０４は、装置全体の制御を実行するＣＰＵ２０５、制御プログラムが格納されているＲＯＭ２０６、制御プログラムが一時的に使用するＲＡＭ２０７を備える。各ユニットは互いのデータのやりとりを行う内部システムバス２０８で接続されている。
次に画像データの処理の流れについて説明する。画像入力部１０１で読み取られた画像データは、ＭＴＦフィルタ処理部２０１で強調処理が行われ、マスク処理部２０２で指定された領域が消去され、γ変換処理部２０３で出力画像の濃度調整が行われ、階調処理部２０４において画像出力部１０３で出力に適した階調を持つ画像データに処理される。ＭＴＦフィルタ処理部２０１、γ変換処理部２０３、階調処理部２０４は従来技術と同等なので詳細説明は省略する。
【０００７】
次にマスク処理部２０３の構成を説明する。図３はマスク処理部２０３の詳細ブロック図である。ＭＴＦフィルタ処理部２０１からの画像データは、ゲート３１０を通りγ変換処理部２０３へ送られる。このときゲート３１０のＥＮがイネーブル状態であるときは、画像データをそのまま通し、ディセーブル状態であるときは画像データを通さずに０を出力する。ゲート３１０から０を出力することにより画像データの消去を行う。
システムバス２０８から消去の開始座標位置、終了座標位置がＦ／Ｆ３０１、３０２、３０５、３０６に送られる。Ｆ／Ｆ３０１には後述する図１０のＸ１に相当する座標位置が、Ｆ／Ｆ３０２にはＸ２に相当する座標位置が、Ｆ／Ｆ３０５にはＹ１に相当する座標位置が、Ｆ／Ｆ３０６にはＹ２に相当する座標位置がそれぞれ記憶される。
主走査カウンタ３０３は、１画素ごとにカウントを行い、主走査の座標位置をコンパレータ３０４に送る。コンパレータ３０４は、Ｆ／Ｆ３０１から送られてきた座標位置Ｘ１とＦ／Ｆ３０２から送られてきた座標位置Ｘ２と主走査カウンタ３０３から送られてきた座標位置を比較して、主走査の座標位置がＸ１からＸ２の間にある場合に“１”を出力し、それ以外の場合は“０”を出力する。
副走査カウンタ３０７は、１ラインごとにカウントを行い、副走査の座標位置をコンパレータ３０８に送る。コンパレータ３０８は、Ｆ／Ｆ３０５から送られてきた座標位置Ｙ１とＦ／Ｆ３０６から送られてきた座標位置Ｙ２と副走査カウンタ３０７から送られてきた座標位置を比較して、副走査の座標位置がＹ１からＹ２の間にある場合に“１”を出力し、それ以外の場合は“０”を出力する。
ＡＮＤ３０９は、コンパレータ３０４とコンパレータ３０８の出力の論理積をゲート３１０のＥＮに送る。ＡＮＤ３０９の出力が“１”になるのは、コンパレータ３０４とコンパレータ３０８が両方とも“１”を出力している場合である。このときゲート３１０がイネーブル状態となり画像データが、γ変換処理部２０３へ送られる。ＡＮＤ３０９の出力が“０”のときは、ゲート３１０がディセーブル状態になり画像データが消去される。
図４は原稿サイズ基準の消去幅の調整を行う操作部画面例を示す図である。ここで設定された消去幅は、ＲＡＭ２０７内に記憶され、シートスルー方式の原稿自動送り装置を使用した読み取り動作のときに、あらかじめ指定されている消去幅として使用される。
【０００８】
図５はコンタクトガラス基準の消去幅の調整を行う操作部画面例を示す図である。ここで設定された消去幅は、ＲＡＭ２０７内に記憶され、シートスルー方式の原稿自動送り装置を使用しない読み取り動作のときに、あらかじめ指定されている消去幅として使用される。
図６から図９を参照して本発明が適用されたディジタル複写機を説明する。図６はシートスルー方式の原稿自動送り装置を示す図である。原稿は読み取り面が上向きとなるように原稿台の上に置かれる。原稿を置く基準は、読み取り原点６０１が基準になる。原稿が置かれた状態および読み取り開始位置まで搬送された状態で原稿サイズ検知センサ６０２により原稿の大きさを検知する。シートスルー方式の原稿自動送り装置を使用した原稿の読み取りでは、読み取り光学部（後述する図９に示す符号９０３から９０８のユニット）が固定された状態で原稿を搬送することにより読み取りを行う。
図７は読み取り原稿台の構成を示す図である。原稿は読み取り面が下向きとなるように原稿台の上に置かれる。読み取りは、原稿台における読み取り原点７０１を基準にして行われる。原稿サイズ検知センサ７０２により原稿台の上に置かれた原稿の大きさを検知する。
図８は読み取り原稿と読み取り走査方向を示す図である。読み取り原稿の原点は原稿の左上で、原稿台における読み取り原点９０１に合わせて置かれる。原稿の読み取り面の主走査はＣＣＤイメージセンサ９０８により電子的に行われ、Ｌ１、Ｌ２、Ｌ３‥‥のラインデータを作成する。副走査方向の走査は原稿とＣＣＤイメージセンサ９０８との相対的な移動により機械的に行われる。
図９は読み取り光学系の構成を示す図である。原稿の読み取り面が主走査方向に伸びた光源９０３により照明され、その反射光が第１ミラー９０４、第２ミラー９０５、第３ミラー９０６により順次反射され、レンズ９０７によりＣＣＤイメージセンサ９０８上に結像されて読み取られる。
【０００９】
次に本発明における画像データの消去について図１０を用いて説明する。画像データの消去に際しては、図１０で示された斜線部分のように原稿の端部における画像データを消去する。主走査方向は、画像データの先端から座標Ｘ１の位置まで消去を行い、座標Ｘ２から画像データの後端まで消去を行う。副走査方向は、画像データの先端から座標Ｙ１の位置まで消去を行い、座標Ｙ２から画像データの後端まで消去を行う。
【実施例１】
【００１０】
実施例１では、シートスルー方式の原稿自動送り装置を使用した読み取り動作とそれ以外の読み取り動作でＦ／Ｆ３０１、３０２、３０５、３０６に設定する座標値が異なる。シートスルー方式の原稿自動送り装置を使用した読み取り動作の場合は、原稿サイズ検知センサ６０２で検出された原稿サイズを外形として、その端部からあらかじめ指定されている消去幅で画像データを消去するようにＦ／Ｆ３０１、３０２、３０５、３０６の座標を設定する。
シートスルー方式の原稿自動送り装置を使用しない読み取り動作の場合は、原稿のサイズに関係なくコンタクトガラス上における有効画像読み取り範囲の最大値を外形として、その端部からあらかじめ指定されている消去幅で画像データを消去するようにＦ／Ｆ３０１、３０２、３０５、３０６の座標を設定する。
【実施例２】
【００１１】
シートスルー方式の原稿自動送り装置を使用した読み取り動作の場合に使用される消去幅と、シートスルー方式の原稿自動送り装置を使用しない読み取り動作の場合に使用される消去幅は、それぞれ独立にＲＡＭ２０７内で記憶されている。
【実施例３】
【００１２】
図４、図５はいずれも消去幅の調整を行う操作部画面の例である。ここでは、原稿端部からの消去幅の設定を上端から消去幅、下端からの消去幅、右端からの消去幅、左端からの消去幅とそれぞれ独立に異なる幅が設定可能である。ここで設定された消去幅に基づいてＦ／Ｆ３０１、３０２、３０５、３０６に設定する座標が計算される。
【図面の簡単な説明】
【００１３】
【図１】本発明の実施形態に係る画像形成装置の概略ブロック図。
【図２】本発明の実施形態に係る画像形成装置の詳細ブロック図。
【図３】マスク処理部のブロック図。
【図４】原稿サイズ基準の消去幅を設定する操作部の画面例を示す図。
【図５】コンタクトガラス基準の消去幅を設定する操作部の画面例を示す図。
【図６】シートスルー方式の原稿自動送り装置を示す図。
【図７】ディジタル複写機の原稿台を示す図。
【図８】原稿を走査する方向を示す図。
【図９】ディジタル複写機の読み取り光学系の構成を示す図。
【図１０】原稿端部から画像データが消去される範囲を示す図。
【符号の説明】
【００１４】
１０４  制御部（制御手段）
１０５  操作部（操作手段）
２０２  マスク処理部（マスク処理手段）
【図１】
2005311476.tif 000003
【図２】
2005311476.tif 000004
【図３】
2005311476.tif 000005
【図４】
2005311476.tif 000006
【図５】
2005311476.tif 000007
【図６】
2005311476.tif 000008
【図７】
2005311476.tif 000009
【図８】
2005311476.tif 000010
【図９】
2005311476.tif 000011
【図１０】
2005311476.tif 000012